(57)【要約】      （修正有）【課題】直方体形状の衛生用紙収納容器において、衛生用紙の残量が少なくなったときにも取り出し性を維持するための構造を提供する。【解決手段】天面部１と、底面部２と、これらをつなぐ４つの側面部３の対、４の対とを有する直方体形状の衛生用紙収納容器であって、４つの側面部３の対、４の対のうち対向する一対の側面部３の対には、天面部１に対する稜１１の両端をつなぎ、下方に凸となる円弧状に湾曲した折曲線３１と、底面部に対する稜２１の両端をつなぎ、上方に凸となる円弧状に湾曲した折曲線３２と、の少なくとも一方を形成する。さらに、折曲線３１、３２の少なくとも一部には、ミシン目を重畳して形成する。これにより、折り曲げの操作が容易で、且つ折り曲げを行った後には変形した形状を保つことで、衛生用紙の取り出し性を維持することができるようになる。【選択図】図１
2019089565.tif 000002
【特許請求の範囲】
【請求項１】
天面部と、底面部と、これらをつなぐ４つの側面部とを有する直方体形状の衛生用紙収納容器であって、
前記４つの側面部のうち対向する一対の側面部には、前記天面部に対する稜の両端をつなぎ、下方に凸となる円弧状に湾曲した折曲線と、前記底面部に対する稜の両端をつなぎ、上方に凸となる円弧状に湾曲した折曲線と、の少なくとも一方が形成され、
前記折曲線の少なくとも一部には、ミシン目が重畳して形成されている、
ことを特徴とする衛生用紙収納容器。
【請求項２】
前記衛生用紙収納容器は、長手方向と短手方向とを有する直方体形状であり、前記折曲線は長手方向に延在する側面部に形成されていることを特徴とする請求項１に記載の衛生用紙収納容器。
【請求項３】
前記ミシン目は、前記折曲線の全体に亘って連続して設けられていることを特徴とする請求項１または２に記載の衛生用紙収納容器。
【請求項４】
前記ミシン目は、前記折曲線の中央部、または前記折曲線の両端部、または前記折曲線に沿った断続する領域に設けられていることを特徴とする請求項１または２に記載の衛生用紙収納容器。
【発明の詳細な説明】
【技術分野】
【０００１】
本発明は、衛生用紙収納容器に関し、特に直方体形状の衛生用紙収納容器において、衛生用紙の残量が少なくなったときに取り出し性を維持するための構造に関するものである。
【背景技術】
【０００２】
ティシュペーパーなどの衛生用紙を収納する容器、特に紙製の容器として、特許文献１に開示されたものがある。同文献には、それぞれ対向する長辺の対および対向する短辺の対で構成される長方形状の天面および底面を４つの側面で繋いだ形態のティシュペーパー容器において、ティシュペーパーの残量が少なくなったときにも取り出し性を保つ構成が開示されている。具体的には、ティシュペーパーの取り出し口が形成される天面側の長辺の両端をつなぐ弧状の折曲線、底面側の長辺の両端をつなぐ弧状の折曲線、またはその双方を設けた構成が記載されている。そして、ティシュペーパーの残量が少なくなったときに、天面側の長辺部分、底面側の長辺部分、またはその双方を容器の内側に向かって押圧して折り曲げ、高さが減少した部分が形成されるように容器を変形させる。これにより、取り出し口から引き出されていたティシュペーパーの端は容器内に引き込まれず、取り出し性が維持されることが記載されている。
【先行技術文献】
【特許文献】
【０００３】
【特許文献１】実開昭６１−１５３７７５号公報
【発明の概要】
【発明が解決しようとする課題】
【０００４】
しかしながら、本発明者は、ティシュペーパー容器の材質や厚みなどによっては、折り曲げの動作がしにくかったり、あるいは一旦折り曲げても容器が復原してしまったりすることがあるとの課題を認識した。よって本発明は、折り曲げの操作が容易で、且つ折り曲げを行った後には変形した形状をティシュペーパー容器が保つことができるようにすることを目的とする。
【課題を解決するための手段】
【０００５】
そのために、本発明は、天面部と、底面部と、これらをつなぐ４つの側面部とを有する直方体形状の衛生用紙収納容器であって、前記４つの側面部のうち対向する一対の側面部には、前記天面部に対する稜の両端をつなぎ、下方に凸となる円弧状に湾曲した折曲線と、前記底面部に対する稜の両端をつなぎ、上方に凸となる円弧状に湾曲した折曲線と、の少なくとも一方が形成され、前記折曲線の少なくとも一部には、ミシン目が重畳して形成されている、ことを特徴とする。
【発明の効果】
【０００６】
本発明によれば、折曲線に重畳してその少なくとも一部にミシン目を形成したことにより、折り曲げの操作が容易で、且つ折り曲げを行った後には変形した形状をティシュペーパー容器が維持できるようになる。
【図面の簡単な説明】
【０００７】
【図１】折曲線の形成位置を説明するためのティシュペーパー容器の斜視図である。
【図２】（ａ）〜（ｄ）は、折曲線に対するミシン目の形成態様の４例を示す模式図である。（ａ）および（ｂ）は、ティシュペーパー容器の天面側に折曲線を形成し、これに沿って折り曲げを行った場合のティシュペーパー容器の変形状態を示す斜視図および断面図である。
【図３】（ａ）および（ｂ）は、収納しているティシュペーパーの残量が少なくなったときに行う操作を説明するためのティシュペーパー容器の斜視図および断面図である。
【図４】（ａ）および（ｂ）は、収納しているティシュペーパーの残量が少なくなったときに行う操作を説明するためのティシュペーパー容器の斜視図および断面図である。
【図５】（ａ）および（ｂ）は、収納しているティシュペーパーの残量が少なくなったときに行う操作を説明するためのティシュペーパー容器の斜視図および断面図である。
【図６】折曲線の好ましい形成態様について説明するための模式図である。
【図７】使用後に容器を展開してブランクの状態とした例を示す平面図である。
【発明を実施するための形態】
【０００８】
以下、図面を参照して本発明の実施形態を詳細に説明する。なお、以下では衛生用紙収納容器として、ティシュペーパーを収納するティシュペーパー収納容器を例示する。
【０００９】
（ティシュペーパー容器の構成例）
図１は、折曲線の形成位置を説明するためのティシュペーパー容器の斜視図である。ここでは、対向する長辺１１の対およびそれと直交して対向する短辺１２の対で構成される長方形状の天面部１、対向する長辺２１の対およびそれと直交して対向する短辺２２の対で構成される長方形状の底面部２と、これらをつなぐ４つの側面部すなわち側面部３の対および側面部４の対とで形成される直方体形状の紙製ティシュペーパー容器（以下、単に容器ともいう）を例示する。ここで、天面部１とはティシュペーパーの取出口１０が形成される面であり、使用前には、取出口１０は蓋部１５で閉塞されている。蓋部１５は、取出口１０の周囲に相当する天面部１の部位にミシン目加工を施すことにより形成され、使用時には蓋部１５をミシン目部分で切り離すことにより取出口１０を露出させることができる。天面部１の裏面側には、取出口１０の全体をカバーするように、長手方向にスリットが形成されたプラスチックフィルム１７（図３〜図５参照）が貼着される。
【００１０】
なお、以下では、天面部１および底面部２とそれぞれ長辺１１および２１でつながる側面部３すなわち長手方向に延在する面を幅広面、それぞれ短辺１２および２２でつながる側面部４すなわち短手方向に延在する面を幅狭面として参照することもある。
【００１１】
本実施形態においては、天面部１に対する稜すなわち天面側の長辺１１の両端をつなぎ、下方に凸となる円弧状に湾曲した折曲線３１と、底面部２に対する稜すなわち底面側の長辺２１の両端をつなぎ、上方に凸となる円弧状に湾曲した折曲線３２とが幅広面３に形成されている。なお、以下では、折曲線３１および３２を、それぞれ、天面側折曲線および底面側折曲線として参照することがある。さらに、天面側折曲線３１および底面側折曲線３２の少なくとも一部に重畳して、ミシン目が形成される。本実施形態においては、図２（ａ）に示すように（簡略化のために、同図は天面側折曲線３１のみを示している）、折曲線３１，３２の全長に亘ってミシン目３０が連続して形成されている。しかし同図（ｂ）に示すように、中央部Ｃに設けられてもよく、逆に、同図（ｃ）に示すように両端部Ｅに設けられてもよい。また、同図（ｄ）に示すように、ミシン目の形成領域３０ａが断続して設けられてもよい。
【００１２】
これらのいずれを採用するかについては、折り曲げ操作のしやすさ、皺の生じにくさ、折り曲げ形状の維持性や美観などを勘案して定めることができる。なお、すべての折曲線に同じ形態のミシン目が形成されていなくてもよい。
【００１３】
図３（ａ）、（ｂ）〜図５（ａ）、（ｂ）は、収納しているティシュペーパーの残量が少なくなったときに行う操作を例示する。各図の（ａ）および（ｂ）は、それぞれ、折曲線に沿って折り曲げを行った場合の容器の変形状態を示す斜視図および長手方向の縦断面図である。
【００１４】
容器の使用を開始し、ティシュペーパーの残量が少なくなるにつれて、積載されたティシュペーパーＰの面が下がって行く。その状態で使用を続けると、最上部に積層されていたティシュペーパーＰＥの、プラスチックフィルム１７のスリットに挟み込まれた一部がスリットから外れて容器内部に落ち込み、取り出しにくいものとなってしまう。その場合、ユーザが天面部１の側の長辺１１を底面部２の側に向けて押圧すると、図３（ａ）および（ｂ）に示すように、天面部１は下方に湾曲した湾曲面を形成し、幅広面３は天面側が下方に湾曲した形状となる。すなわち、容器は、天面側から見て樽型、側面視にて天面側が下方に湾曲した凹レンズ形状に変形する。すると、取出口１０ないしプラスチックフィルム１７の長手方向中央部は最上部にあるティシュペーパーに近接した状態となるので、プラスチックフィルム１７のスリットからの外れが生じることなく、取り出し性を維持することができる。
【００１５】
あるいは、先に底面部２の側の長辺２１を天面部１の側に向けて押圧する操作を行ってもよい。この場合、図４（ａ）および（ｂ）に示すように、底面部２は上方に湾曲した湾曲面を形成し、幅広面３は底面側が上方に湾曲した底面側折曲線３２から下方に湾曲した形状となる。すなわち、容器は、底面側から見て樽型、側面視にて天面側湾曲線が下方に湾曲した凹レンズ形状に変形する。すると、取出口１０ないしプラスチックフィルム１７の長手方向中央部は最上部にあるティシュペーパーＰＥに近接した状態となるので、プラスチックフィルム１７のスリットからの外れが生じることなく、取り出し性を維持することができる。
【００１６】
図３（ａ）、（ｂ）および図４（ａ）、（ｂ）の操作のいずれの一方を先に行ってもよいが、ティシュペーパーの残量がさらに少なくなった場合には、他方の操作を行うことで、図５（ａ）および（ｂ）に示したような変形状態を得ることができる。この変形状態は、天面部１と底面部２との距離をさらに小さくできることから、ティシュペーパーの残量がかなり少なくなった場合でも対応できるので有利である。なお、図５（ａ）および（ｂ）に示す容器の変形状態は、上述の操作を順次行うのではなく、天面部１の側の２つの長辺１１と底面部２の側の２つの長辺２１とにそれぞれ指を添え、押し下げの操作と押し上げの操作とを同時に行うことで得ることもできる。
【００１７】
（折曲線の形成条件）
図６を参照し、折曲線の好ましい形成態様について説明する。なお、簡略化のために同図は天面側折曲線３１のみを示しているが、底面側折曲線３２についても、天地逆にして考察すれば同様である。
【００１８】
幅広面３とそれに隣り合う側面部４とがなす稜線３４と、天面部１の側の角部を通る折曲線３１とがなす角αは、折曲線３１の曲率が大きいほど大きく、小さいほど小さくなる。換言すれば、天面部１から折曲線３１の中心までの垂直方向の距離Ｄは、折曲線３１の曲率が大きいほど小さく、小さいほど大きくなる。
【００１９】
天面部１から折曲線３１の中心までの垂直方向の距離Ｄが過小であると、折り曲げによる天面部１と底面部２との高さ方向の内寸の減少量が小さくなり、ティシュペーパーの残量が少なくなった場合に取り出しにくくなるため好ましくない。また、容器の材質（紙質）の「コシ」によっては簡単に復原してしまうことが考えられる。
【００２０】
一方、距離Ｄが過大であると、角度αはより鋭角となるので、美観上の問題や、尖鋭な部分が天面部１に現れるという問題が生じ得る。
【００２１】
以上を考慮し、また折り曲げた際の皺の生じにくさや、底面部２の側にも折曲線３２を設けることも考慮して、本発明者は、距離Ｄと高さＨとの関係を考察した。この結果、距離Ｄが容器の高さＨの１５％以上５０％未満であることが好ましく、２５％以上４０％以下であることがより好ましくは、３０％以上３５％以下であることがさらに好ましいとの知見を得た。なお、本実施形態ではＤ／Ｈ＝１／３（約３３％）とした。
【００２２】
（その他）
本発明は、上述した実施形態または随所に述べた変形例に限られることなく、その他の構成を採用することが可能である。
【００２３】
例えば、上述した実施形態においては、天面側折曲線３１と底面側折曲線３２との双方を設けた構成について説明した。しかしティシュペーパーの取り出し性を維持するという機能が果たされるのであれば、いずれか一方のみが設けられてもよい。この場合、は図４（ａ）、（ｂ）または図５（ａ）、（ｂ）に示した容器の変形操作を行えばよい。
【００２４】
また、本発明のミシン目は、折り曲げの操作が容易で、且つ折り曲げを行った後には変形した形状をティシュペーパー容器が安定して維持できるようにすることを目的とするもので、図２（ｂ）〜（ｄ）から明らかなように、ミシン目に沿った破断を行うことを必須とするものではない。しかし同図（ａ）に示したような折曲線の全長に亘ってミシン目が連続して形成されている構成では、破断を行うことも可能である。この場合、容器の使用中に破断が行われても、容器が通常の収納形状を保っていれば、あえて破断線の開放を行わない限り、破断線の両側は突き合わされた状態を保つので、塵埃等の侵入は実質的に生じない。また、ティシュ残量が少なくなったときに破断を行い、補充を行うこともできる。特に、図７は、使用後に容器を展開してブランクの状態とした例を示している。ここで、図１について説明した各部に対応する領域には対応する参照符号を括弧書きにて付してある（なお、符号５は糊付け部となる領域である）。この場合、折曲線３１および３２に沿ってミシン目の破断動作を行うことによって、容器のブランクは部分６１〜６５の５つの部分に細かく切断した状態とすることができるので、そのまま折り畳みを行うよりも嵩が減り、処分の容易化に資することができる。
【００２５】
加えて、上述した実施形態では、対向する長辺の対およびそれと直交して対向する短辺の対で構成される長方形状の天面部および底面部を有する直方体形状の容器を例示した。しかし本発明は、これに限らず、例えば正方形状の天面部および底面部を有する直方体形状容器にも適用できる。
【００２６】
さらに加えて、本発明は、ティシュペーパーに限らず、ペーパータオルなどの衛生用紙を収納する容器にも適用できる。また、容器の材質としても、折り曲げ操作のしやすさが担保されるのであれば、紙製のものに限らず、プラスチック製のものでもよい。
【符号の説明】
【００２７】
１  天面部
２  底面部
３  側面部（幅広面）
１１  長辺
３０  ミシン目
３１  天面側折曲線
３２  底面側折曲線
【図１】
2019089565.tif 000003
【図２】
2019089565.tif 000004
【図３】
2019089565.tif 000005
【図４】
2019089565.tif 000006
【図５】
2019089565.tif 000007
【図６】
2019089565.tif 000008
【図７】
2019089565.tif 000009